(57)【要約】【課題】  プリンターの印字、搬送適性等に優れ、また製造上で、製造工程が増えることもなく、隠蔽性が高く、隠蔽する際の手間がかからなく、簡単に隠蔽でき、さらに隠蔽できる箇所が片面の１箇所だけでなく、両面の箇所であり、隠蔽する情報量が多い情報隠蔽用シートを提供することを目的とする。【解決手段】  第１の基材２１と第２の基材２２とが重ね合わされて接着し、２箇所の折り部２、３により、３区画に分かれて、折り畳まれて接着可能な情報隠蔽用シート１において、折り畳んだ時に対向する重ね合わせ面が剥離可能であり、第２の基材の少なくとも一部を隠蔽ラベルとして、該情報隠蔽用シートに記載された隠蔽情報３２を隠蔽するように、第１の基材から剥離して、貼付可能である。【選択図】      図１
2008137164.tif 000002
【特許請求の範囲】
【請求項１】
第１の基材と第２の基材とが重ね合わされて接着し、２箇所の折り部により、３区画に分かれて、折り畳まれて接着可能な情報隠蔽用シートにおいて、折り畳んだ時に対向する重ね合わせ面が剥離可能であり、第２の基材の少なくとも一部を隠蔽ラベルとして、該情報隠蔽用シートに記載された隠蔽情報を隠蔽するように、第１の基材から剥離して、貼付可能であることを特徴とする情報隠蔽用シート。
【請求項２】
前記の第１の基材と第２の基材とが重ね合わされて接着した情報隠蔽用シートにおいて、第１の基材同士及び第２の基材同士が、折り畳まれて接着可能であることを特徴とする請求項１に記載の情報隠蔽用シート。
【請求項３】
前記の第１の基材と第２の基材とが重ね合わされて接着した情報隠蔽用シートにおいて、第１の基材同士、または第２の基材同士及び第１の基材と第２の基材とが、折り畳まれて接着可能であることを特徴とする請求項１に記載の情報隠蔽用シート。
【請求項４】
前記の第２の基材の少なくとも一部の隠蔽ラベル部は、第２の基材上に、再接着再剥離可能である擬似接着剤層が設けられていることを特徴とする請求項１〜３のいずれかに記載の情報隠蔽用シート。
【請求項５】
前記の２箇所の折り部は、第１基材、第２基材の少なくとも一方にカット線が設けられていることを特徴とする請求項１〜４のいずれかに記載の情報隠蔽用シート。
【請求項６】
前記の第２の基材の隠蔽ラベルは、第１の基材から剥がして、前記折り部を使用して、折ることで、前記隠蔽情報を隠蔽することを特徴とする請求項１〜５のいずれかに記載の情報隠蔽用シート。
【請求項７】
前記の第２の基材の隠蔽ラベルは、第２の基材にハーフカット加工が施されていて、該ハーフカット部分を第１の基材から剥離して、該剥離した部分をラベルとして使用することで、前記隠蔽情報を隠蔽することを特徴とする請求項１〜６のいずれかに記載の情報隠蔽用シート。
【請求項８】
前記の第１の基材と第２の基材の少なくとも一方において、地紋印刷が設けられて、該基材部に記載された個人情報が透けて見えないようにしたことを特徴とする請求項１〜７のいずれかに記載の情報隠蔽用シート。
【発明の詳細な説明】
【技術分野】
【０００１】
本発明は個人情報等を保護するのに好適な情報隠蔽用シートに関し、特にプリンターの印字適性、搬送適性等に優れ、また製造する上で、製造工程が増えることもなく、隠蔽性が高く、隠蔽する際の手間がかからなく、簡単に隠蔽することができ、さらに隠蔽できる箇所が片面でなく、両面であり隠蔽する情報量が多い情報隠蔽用シートに関するものである。
【背景技術】
【０００２】
住所変更届や資料申込み等、個人がサービス業者等に対して申請をしたり、申込みを行ったりする場合に、本人を特定するための個人情報の記載が必要となっている。
しかし、個人情報保護意識の高まりもある中で、個人情報部分について隠蔽して保護する何の配慮のない申込書では、申込み自体を断念してしまうことがあり得る。また、申込者自身が封筒と切手を別に用意して、それを用いて申込書を同封して送る、ということもある。前者ではサービス業者として売上げ減少につながり、後者では顧客満足度の低下につながる可能性があり、前述した届出書や申込書には何らかの個人情報を保護する工夫が必要不可欠となってきている。
【０００３】
そこで、近年特に需要が多いのが、再剥離再貼付糊を利用した情報隠蔽用シートの１種である情報隠蔽はがきがある（例えば、特許文献１）。それまで付箋としてしか使用されていなかった再剥離再貼付糊を利用し、再剥離再貼付糊の設けられた隠蔽ラベル片を個人情報欄に重ね合わせて一時的な隠蔽を図るものである。
個人がサービス業者に申込みをする、という場面では、最終的にサービス業者内で開封されて、個人情報が目視されるものであるため、再剥離再貼付糊を利用した隠蔽ラベルはある意味では非常に合理的な隠蔽ラベルと言え、利用範囲が広がってきている。
【０００４】
以上のような情報隠蔽用シートでは、そのシートの個人情報の記入された部分を隠蔽するために、そのシートとは別個にある隠蔽ラベルを、その個人情報の記入部に貼り付けたり、あるいはその情報隠蔽用シートの個人情報の記入部ではない位置に、予め隠蔽ラベルを貼付しておき、個人情報を記入後、その隠蔽ラベルを剥がして、個人情報の記入部に貼り付けて、個人情報を隠蔽していた。
【０００５】
上記のいずれの場合でも、隠蔽ラベルを、剥がして、所定の個人情報の記入欄に位置合せをして、貼り付ける手間が必要である。隠蔽ラベルの大きさにもよるが、該ラベルを貼る位置が曲がったり、外れた場合に、個人情報欄の全体を隠蔽できずに、部分的に該情報が見えてしまう問題が生じてしまう。また、隠蔽ラベルを情報隠蔽用シートの個人情報の記入部ではない位置に、予め貼付しておく場合、情報隠蔽用シートの隠蔽ラベルが貼付されている部分と貼付されていない部分では、それぞれの部分の総厚が異なり、プリンターで連続処理の際に、蛇行したり、シワが生じたりして、プリンターでの搬送適性が低下し、またその影響もあり、印字適性も低下する問題がある。
【０００６】
このような問題に対して、本出願人は特許文献２において、図５に示すように、第１の基材２１と第２の基材２２とが強接着剤３０と、剥離可能で、再接着再剥離可能な擬似接着剤３１とを塗り分けて重ね合った往復隠蔽はがき５０で、第２の基材の表面に再剥離性感圧粘着剤層２４を設けた構成を提案した。この往復隠蔽はがきは、簡単に個人情報を擬似接着剤を利用して、隠蔽できるものであるが、はがきの片面しか隠蔽できないものであり、隠蔽できる情報量に制約があった。
【特許文献１】特開２００４−１０２１８８号公報
【特許文献２】特願２００６−１８０９１８
【発明の開示】
【発明が解決しようとする課題】
【０００７】
したがって、本発明は、プリンターの印字適性、搬送適性等に優れ、また製造する上で、製造工程が増えることもなく、隠蔽性が高く、隠蔽する際の手間がかからなく、簡単に隠蔽することができ、さらに隠蔽できる箇所が片面の１箇所だけでなく、情報隠蔽用シートの両面の箇所で隠蔽可能であり、隠蔽する情報量が多い情報隠蔽用シートを提供することを目的とする。
【課題を解決するための手段】
【０００８】
以上の状況を鑑み、鋭意研究開発を進め、本発明に到った。すなわち、請求項１に記載の発明は、第１の基材と第２の基材とが重ね合わされて接着し、２箇所の折り部により、３区画に分かれて、折り畳まれて接着可能な情報隠蔽用シートにおいて、折り畳んだ時に対向する重ね合わせ面が剥離可能であり、第２の基材の少なくとも一部を隠蔽ラベルとして、該情報隠蔽用シートに記載された隠蔽情報を隠蔽するように、第１の基材から剥離して、貼付可能であることを特徴とする。
【０００９】
請求項２に記載の発明は、請求項１に記載の第１の基材と第２の基材とが重ね合わされて接着した情報隠蔽用シートにおいて、第１の基材同士及び第２の基材同士が、折り畳まれて接着可能であることを特徴とする。請求項３に記載の発明は、請求項１に記載の第１の基材と第２の基材とが重ね合わされて接着した情報隠蔽用シートにおいて、第１の基材同士、または第２の基材同士及び第１の基材と第２の基材とが、折り畳まれて接着可能であることを特徴とする。請求項２に記載した第１の基材同士及び第２の基材同士が、折り畳まれて接着する形態は、いわゆるＺ折りの三つ折りの形態である。また、請求項３に記載した第１の基材同士、または第２の基材同士及び第１の基材と第２の基材とが、折り畳まれて接着する形態は、いわゆる中三つ折り（内側に巻き込む形の折り）の形態である。尚、Ｚ折りの三つ折りの形態は、図６ａ）に示すようなものであり、また中三つ折り（内側に巻き込む形の折り）の形態は、図６ｂ）に示すようなものである。
【００１０】
請求項４に記載の発明は、請求項１〜３のいずれかに記載の第２の基材の少なくとも一部の隠蔽ラベル部は、第２の基材上に、再接着再剥離可能である擬似接着剤層が設けられていることを特徴とする。これは、第１の基材と第２の基材とを重ね合わして接着する際に使用する接着剤が、第２の基材の少なくとも一部である隠蔽ラベル部分において、再接着再剥離可能である擬似接着剤層を用いたものである。請求項５に記載の発明は、請求項１〜４のいずれかに記載の２箇所の折り部は、第１基材、第２基材の少なくとも一方にカット線が設けられていることを特徴とする。
【００１１】
請求項６に記載の発明は、請求項１〜５のいずれかに記載の第２の基材の隠蔽ラベルは、第１の基材から剥がして、前記折り部を使用して、折ることで、前記隠蔽情報を隠蔽することを特徴とする。請求項７に記載の発明は、請求項１〜６のいずれかに記載の第２の基材の隠蔽ラベルは、第２の基材にハーフカット加工が施されていて、該ハーフカット部分を第１の基材から剥離して、該剥離した部分をラベルとして使用することで、前記隠蔽情報を隠蔽することを特徴とする。請求項８に記載の発明は、請求項１〜７のいずれかに記載の第１の基材と第２の基材の少なくとも一方において、地紋印刷が設けられて、該基材部に記載された個人情報が透けて見えないようにしたことを特徴とする。
【発明の効果】
【００１２】
本発明の情報隠蔽用シートは、第１の基材と第２の基材とが重ね合わされて接着し、２箇所の折り部により、３区画に分かれて、折り畳まれて接着可能な構成において、折り畳んだ時に対向する重ね合わせ面が剥離可能であり、第２の基材の少なくとも一部を隠蔽ラベルとして、該情報隠蔽用シートに記載された隠蔽情報を隠蔽するように、第１の基材から剥離して、貼付可能である、第１の基材と、第２の基材を貼り合せた構成であり、情報隠蔽用シートの両端に、マージナルパンチ加工が施された連続フォームとして、製造することができ、従来の隠蔽ラベルをラベラを使用して、貼り込む必要がなく、製造工程が増えることもない。また、第１の基材と第２の基材との外形の大きさが同じであり、情報隠蔽用シートの全面において、第１の基材と第２の基材の合わせた総厚の差が無く、つまり段差がなく、全面が均一な厚さになり、プリンタでの印字適性、搬送適性が良好である。
【００１３】
また、本発明の情報隠蔽用シートは、第１の基材同士及び第２の基材同士が、折り畳まれて接着可能な形態をとることができ、コンパクトな形態でありながら、Ｚ折りの三つ折りにより、情報隠蔽用シートの両面の箇所で隠蔽可能であり、隠蔽する情報量を多くすることができ、非常に有用なものである。また、本発明の情報隠蔽用シートは、第１の基材同士、または第２の基材同士及び第１の基材と第２の基材とが、折り畳まれて接着可能な形態をとることができ、コンパクトな形態でありながら、中三つ折り（内側に巻き込む形の折り）により、情報隠蔽用シートの両面の箇所で隠蔽可能であり、隠蔽する情報量を多くすることができ、非常に有用なものである。
【００１４】
また、本発明の情報隠蔽用シートは、第２の基材の隠蔽ラベルを、第１の基材から剥がして、折り部を使用して、折るだけで、記載した個人情報を簡単に隠蔽できる。また、本発明の情報隠蔽用シートは、第２の基材の隠蔽ラベルを、第２の基材に施されたハーフカット加工の部分を第１の基材から剥離して、該剥離した部分をラベルとして使用して、記載した個人情報に対し、該ラベルを貼り付けて、該個人情報を隠蔽できる。
【発明を実施するための最良の形態】
【００１５】
図１は、本発明の情報隠蔽用シート１の一つの実施形態を示す概略図であり、図１ａ）は情報隠蔽用シートを配布する際、返却して使用する前の第１の基材、第２の基材、接着剤Ａ、Ｂや、折り部２、３、４、５等で構成されることを説明するための概略図であり、図１ｂ）は図１ａ）で示した情報隠蔽用シートが、配布された後のシート返却時での使用される状態を説明するための概略図である。尚、接着剤Ａ（３０）は強接着剤であり、一旦接着させた後に、基材間を剥離することが困難なものである。また、接着剤Ｂ（３１）は一旦接着した後に、剥離可能であり、またその剥離された接着剤Ｂ（３１）を利用して、返却用紙２６の個人情報を記入した欄３２に再接着再剥離することができるものであり、この機能を有する接着剤Ｂ（３１）は、擬似接着剤と言われるものである。
【００１６】
図１ａ）において、第１の基材２１が第１Ａ基材部（１Ａ）、第１Ｂ基材部（１Ｂ）、第１Ｃ基材部（１Ｃ）の３区画に分かれた構成で、第１Ａ基材部（１Ａ）と第１Ｂ基材部（１Ｂ）とは折り部２により区分けされている。また、第１Ｂ基材部（１Ｂ）と第１Ｃ基材部（１Ｃ）とは折り部３により区分けされている。第１Ａ基材部の表面を１Ａ面とし、第１Ｂ基材部の表面を１Ｂ面とし、また第１Ｃ基材部の表面を１Ｃ面として、１Ｂ面、１Ｃ面の少なくとも一方には、情報隠蔽用シートの配布される人の個人情報２３が、可変情報として、例えば、ノーインパクトプリンターを使用して、印字されている。また、情報隠蔽用シートが配布された後に、配布された人が、１Ａ面に個人情報３２を記入する。尚、第１及び第２の基材は、両端に、マージナルパンチ２５加工が施された連続フォームの形態で製造され、また上記のプリンター印字は、その加工されたマージナルパンチを利用して連続処理される。また第１の基材２１は、個人情報２３を隠蔽するために、基材２１の表面の全面に、再剥離性感圧粘着剤層２４が設けられている。尚、図示したものは、基材２１の表面の全面に、再剥離性感圧粘着剤層２４が設けられているが、これに限らず１Ｂ及び１Ｃ面のみに再剥離性感圧粘着剤層を設けることも可能である。（１Ａ面には再剥離性感圧粘着剤層を設けないことも可能である。）
【００１７】
また、第２の基材２２が第２Ａ基材部（２Ａ）、第２Ｂ基材部（２Ｂ）、第２Ｃ基材部（２Ｃ）の３区画に分かれた構成で、第２Ａ基材部（２Ａ）と第２Ｂ基材部（２Ｂ）とは折り部４により区分けされている。また、第２Ｂ基材部（２Ｂ）と第２Ｃ基材部（２Ｃ）とは折り部５により区分けされている。第２Ａ基材部の表面を２Ａ面とし、第２Ｂ基材部の表面を２Ｂ面とし、また第２Ｃ基材部の表面を２Ｃ面として、２Ａ面には図示はしていないが、情報隠蔽用シートの返却時での「返却用紙」、「返却先の住所、会社名」等の文字が印刷されている。また２Ｃ面には、「配布」の文字などが印刷され、また配布先の住所、名前が記載されている。第２の基材の２Ａ面、２Ｃ面における住所、名前などの可変情報は、例えば、ノーインパクトプリンターを使用して、印字することが好ましい。第１及び第２の基材は、両端に、マージナルパンチ２５加工が施された連続フォームの形態で製造され、また上記のプリンター印字は、その加工されたマージナルパンチを利用して連続処理される。また第２の基材２２は、折り部４で折り畳み、第２の基材の第２Ａ基材部と第２Ｂ基材部の表面同士が重ね合わされて圧着されて接着可能とするために、基材２２の表面の全面に、再剥離性感圧粘着剤層２４´が設けられている。尚、図示したものは、基材２２の表面の全面に、再剥離性感圧粘着剤層２４´が設けられているが、これに限らず２Ａ及び２Ｂ面のみに再剥離性感圧粘着剤層を設けることも可能である。（２Ｃ面には再剥離性感圧粘着剤層を設けないことも可能である。）
【００１８】
上記の再剥離性感圧粘着剤層２４、２４´は、その使用する粘着剤層が基材と接触しても粘着せずに、粘着剤層同士が加圧接触してはじめて粘着し、しかも再剥離ができるように調整されたものであり、従来の圧着ハガキで利用されているものが使用できる。一般的に、粘着主剤、粘着力調整剤、添加物等でその粘着剤層を構成できる。配布時は折り部３（折り部５）で、谷折りの条件で折り畳み、第１の基材２１の第１Ｂ基材部と第１Ｃ基材部の表面同士（１Ｂ面と１Ｃ面）が重ね合わされて圧着されて接着し、第１Ｂ基材部、第１Ｃ基材部の少なくとも一方に記載された個人情報２３が、上記圧着により隠蔽できる。また図示してはいないが、基材部に記載あるいは記入された個人情報、すなわち第１Ｂ基材部、第１Ｃ基材部の表面の個人情報２３、あるいは第１Ａ基材部の表面に記入した個人情報３２において、情報隠蔽用シートの配布中や、必要事項を記入後、そのシートを返却するまでの取扱い中に、それらの個人情報が透けて見えないように、地紋印刷が施されることが好ましい。詳しくは、例えば第１Ｂ基材部の表面の個人情報２３では、第１Ａ基材部の表面全面に、及び／または第１Ａ基材部の接着剤Ａ（３０）と接する側に、及び／または第１Ｂ基材部の接着剤Ｂ（３１）と接する側に、及び／または第２Ｂ基材部の接着剤Ｂ（３１）と接する側に、第１Ｃ基材部の表面全面に、及び／または第１Ｃ基材部の接着剤Ａ（３０）と接する側に、地紋印刷を施すことができる。
【００１９】
また、第１Ａ基材部の表面に記入した個人情報３２では、第１Ａ基材部の裏面全面に（接着剤Ａ（３０）と接する側に）、及び／または第２Ａ基材部の接着剤Ａ（３０）と接する側に、地紋印刷を施すことができる。さらに、その個人情報３２を隠蔽するよう、シート返却時の際に、折り部４の部分で折って、第２の基材の第２Ｂ基材部と、第１の基材の第１Ａ基材部とが接着剤Ｂ（３１）を介して接着されるので、第２Ｂ基材部の接着剤Ｂ（３１）と接する面に、あるいは第２Ｂ基材部の接着剤Ｂ（３１）と接しない面に、地紋印刷を施すことができる。
このようにして、情報隠蔽用シートが配布、返却される際に、個人情報が透けて見えることを困難にすることができる。
【００２０】
第１の基材２１の折り部２と、第２の基材２２の折り部４は、同じ位置に合わせ、第１の基材２１の折り部３と、第２の基材２２の折り部５は、同じ位置に合わせておく。それは、情報隠蔽用シートが第１の基材と第２の基材とが重ね合わされて接着した状態で、それらの折り部により、３区画に分かれて、折り畳まれるからである。また折り部２、５は、第２の基材の第２Ｂ基材部を、第１の基材の第１Ｂ基材部と重なって接着された状態から、剥離して、第１Ｂ基材部と第２Ｂ基材部と分離しやすくするために、カット線であることが好ましい。本発明では、折り部は情報隠蔽用シートを折り畳む際の位置を示し、何ら加工しないものでもよく、また印刷のみ行なったものや、スジ押ししたもの等がある。またカット線である場合は、ハーフカット加工、ミシン目加工されたもの等が挙げられる。図１では、折り部２、５がカット線であることが好ましい説明をしたが、折り部は折り畳む箇所であり、カット線はその箇所で切断するためのもので、両者は同一位置にあることは限定せず、別の位置でそれぞれを設けることができる。
【００２１】
また折り部４は、２Ａ面と２Ｂ面とを重ね合わして圧着する際に、２Ａ（１Ａ）面と２Ｂ（１Ｂ）面とを折りやすくするものである。また、折り部４は、返却時において、第１Ａ基材部の表面に記入した個人情報３２を隠蔽するよう、その折り部４の部分で折って、接着剤Ｂ（３１）を介して２Ｂ基材部と、第１Ａ基材部とが接着して返却される。また折り部３は、１Ｂ面と１Ｃ面とを重ね合わして圧着する際に、１Ｂ（２Ｂ）面と１Ｃ（２Ｃ）面とを折りやすくするものである。また情報隠蔽用シートとして、配布時にコンパクトにするように、その折り部３の位置で、折りやすくしている。
【００２２】
上記の折り部２と折り部４は、また折り部３と折り部５は、同じ位置に合わせて設けられている。
【００２３】
また、本発明の情報隠蔽用シートは、第１Ａ基材部と第１Ｂ基材部とを区分けするための、また第２Ｂ基材部と第２Ｃ基材部とを区分けするための折り部２、５は、上記のハーフカット処理で加工するだけでなく、第１の基材と第２の基材とを接着剤で重ね合わす前に、スリットされた折り部の位置で、予め切断しておいた巻取り状の複数の基材を用意して、各巻取りを供給して、接着剤を塗布し、第１の基材と第２の基材を重ね合わして製造することも可能である。この場合、折り部（スリット）２、５の位置において、２本の隣接した上記の予め切断しておいた巻取り状の基材を、０．５〜１ｍｍ程度の間隔で離しておくことが好ましい。それは、対応する折り部で折り畳み際に、非常に折り易く、かつ折り部（スリット）の位置から、接着剤Ｂで接着している部分を剥離する際、簡単に剥離し始めることができる。また、折り部は印刷を施すのみ、あるいは全く加工しない場合でも良い。
【００２４】
また、図１ａ）において、第１の基材２１が第１Ａ基材部（１Ａ）と第１Ｂ基材部（１Ｂ）とが折り部２により区分けされ、かつ第１の基材２１が第１Ｂ基材部（１Ｂ）と第１Ｃ基材部（１Ｃ）とが折り部３により区分けされている。第１Ａ基材部の表面を１Ａ面とし、第１Ｂ基材部の表面を１Ｂ面とし、また第１Ｃ基材部の表面を１Ｃ面として、図示はしていないが、配布先の住所、名前が記載された２Ｃ面には、適当な広告を印刷することもできる。また、１Ｂ面、１Ｃ面には個人情報２３が印字されている。また、１Ａ面には返却用紙として、情報隠蔽用シートの配布されて、そのシートを返却する人（返却者）が返却する人の個人情報を記入しやすくする説明書きなどが印刷されている。上記の配布先の住所、名前は、可変情報であり、例えば、ノーインパクトプリンターを使用して、印字される。第１の基材２１と第２の基材２２は、両端に、マージナルパンチ２５加工が施された連続フォームの形態で製造され、また上記のプリンター印字は、そのマージナルパンチ加工された部分を利用して、連続処理される。但し、第２の基材２２における配布先の住所、名前のプリンター印字と、上記の第１の基材２１における個人情報２３のプリンター印字は、両者の情報の照合性を正確にするために、第１の基材２１と第２の基材２２とが接着剤Ａ、Ｂで重ね合わせて接着している状態で、両面印字可能なプリンターを用いて行なうことが好ましい。
【００２５】
上記の図１に示した第１の基材２１と第２の基材２２とが、接着剤Ａ（３０）と接着剤Ｂ（３１）を使用して、重ね合わせられている。その接着剤Ａ（３０）と接着剤Ｂ（３１）とは、その塗工する箇所を区分けしている。この接着剤Ａ（３０）は強接着剤であり、一旦接着させた後に、基材間を剥離することが困難である。また、接着剤Ｂ（３１）は一旦接着した後に、剥離可能であり、またその剥離された接着剤Ｂ（３１）を利用して、返却用紙２６の個人情報を記入した欄３２に再接着再剥離することができるものである。この機能を有する接着剤Ｂ（３１）は、擬似接着剤と言われるものである。
【００２６】
図１ａ）で示した情報隠蔽用シート１は、配布時に折り部３で、谷折りの条件で折り畳んで、第１の基材２１の第１Ｂ基材部と第１Ｃ基材部の表面同士（１Ｂ面と１Ｃ面）が重ね合わされて圧着されて接着し、個人情報２３を隠蔽するものである。また、配布時における折り部２の方は、その折り部２で山折りの条件で折り畳んで、第２の基材２２の第２Ａ基材部と第２Ｂ基材部の表面同士（２Ａ面と２Ｂ面）が重ね合わされて圧着されて接着し、配布される。また図１で示した情報隠蔽用シート１は、配布時に、Ｚ折の３つ折された情報隠蔽用シートとして、利用する際は、両端に設けられたマージナルパンチ２５加工された部分は、切り取り線１４、１５により、切り離されている。
【００２７】
図１ｂ）で示したものは、図１ａ）で示した情報隠蔽用シートが、配布された後のシート返却時での使用される状態を説明するもので、配布先の人が、情報隠蔽用シート１を受取って、１Ｂ面と１Ｃ面とが接着した状態から、１Ｂ面と１Ｃ面とを剥離して、１Ｂ面、１Ｃ面に記載された個人情報２３を確認して、さらに２Ａ面と２Ｂ面とが接着した状態から、２Ａ面と２Ｂ面とを剥離して、その後に折り部２の部分から、第１の基材２１の第１Ｂ基材部を接着剤Ｂ（３１）から剥離して、第２の基材２２の第２Ｂ基材部と分離し、かつ折り部５の部分から、接着剤Ｂ（３１）が付着された第２の基材２２の第２Ｂ基材部を、第１の基材２１の第１Ｂ基材部と分離する。また第１の基材の第１Ａ基材部と、第２の基材の第２Ａ基材部及び第２Ｂ基材部からなる返却用紙２６を、第１の基材の第１Ａ基材部の表面に記入した個人情報３２を隠蔽するように、折り部４の部分で折って、第２の基材の第２Ｂ基材部と、第１の基材の第１Ａ基材部とが接着剤Ｂ（３１）を介して接着した状態にする。尚、返却用紙２６の個人情報の記入欄３２には、シートを配布された返却者が自分の個人情報に関する必要事項を記入した後に、上記の折り部４の部分で折って、接着剤Ｂ（３１）を介して、第２Ｂ基材部と第１Ａ基材部とを接着した状態とする。本発明では、上記の接着剤Ｂを設けた第２Ｂ基材部全体が隠蔽ラベルとして利用されるものである。
【００２８】
また返却時に第２の基材２２の第２Ｂ基材部全体で、個人情報３２を隠蔽するので、隠蔽できる面積を多くとれる。このように隠蔽性が高く、簡単に個人情報を隠蔽することができる。尚、図示した情報隠蔽用シートは、配布時に第１Ｂ基材部、第１Ｃ基材部の少なくとも一方に個人情報２３が記載され、第１の基材の表面に再剥離性感圧粘着剤層が設けられており、折り部３で折り畳み、第１Ｂ基材部と第１Ｃ基材部の表面同士が重ね合わされて、圧着されて接着するので、該個人情報２３は隠蔽される。また、第２の基材の２Ａ面には、返却先の個人情報を記載することができ、折り部４で折り畳んで、第２Ａ基材部と第２Ｂ基材部の表面同士が重ね合わされて、圧着されて接着するので、配布時には、その返却先の個人情報を隠蔽できる。このように情報隠蔽用シートの両面に個人情報を配置して、確実に隠蔽でき、隠蔽する情報量が多く、有用なものである。
【００２９】
図２は、本発明の情報隠蔽用シート１の他の実施形態を示す概略図であり、図２ａ）は情報隠蔽用シートを配布する際、返却して使用する前の第１の基材、第２の基材、接着剤Ａ、Ｂや、折り部６、７、８、９等で構成されることを説明するための概略図であり、図２ｂ）は図２ａ）で示した情報隠蔽用シートが、配布された後のシート返却時での使用される状態を説明するための概略図である。
【００３０】
図２ａ）において、第１の基材２１が第１Ａ基材部（１Ａ）と第１Ｂ基材部（１Ｂ）とが折り部６により区分けされ、かつ第１の基材２１が第１Ｂ基材部（１Ｂ）と第１Ｃ基材部（１Ｃ）とが折り部７により区分けされている。第１Ａ基材部の表面を１Ａ面とし、第１Ｂ基材部の表面を１Ｂ面とし、また第１Ｃ基材部の表面を１Ｃ面として、１Ｂ面、１Ｃ面の少なくとも一方には、情報隠蔽用シートの配布される人の個人情報２３が、可変情報として、例えば、ノーインパクトプリンターを使用して、印字されている。また、情報隠蔽用シートが配布された後に、配布された人が、２Ａ面に個人情報３２を記入する。尚、第１及び第２の基材は、両端に、マージナルパンチ２５加工が施された連続フォームの形態で製造され、また上記のプリンター印字は、その加工されたマージナルパンチを利用して連続処理される。また第１の基材２１は、個人情報２３を隠蔽するために、基材２１の表面の全面に、再剥離性感圧粘着剤層２４が設けられている。尚、図示したものは、基材２１の表面の全面に、再剥離性感圧粘着剤層２４が設けられているが、これに限らず１Ｂ及び１Ｃ面のみに再剥離性感圧粘着剤層を設けることも可能である。（１Ａ面には再剥離性感圧粘着剤層を設けないことも可能である。）
【００３１】
また、第２の基材２２が、第２Ａ基材部（２Ａ）と第２Ｂ基材部（２Ｂ）とが折り線８により区分けされ、かつ第２の基材２２が第２Ｂ基材部（２Ｂ）と第２Ｃ基材部（２Ｃ）とが折り線９により区分けされている。第２Ａ基材部の表面を２Ａ面とし、第２Ｂ基材部の表面を２Ｂ面とし、また第２Ｃ基材部の表面を２Ｃ面として、２Ａ面には図示はしていないが、情報隠蔽用シートの返却時での「返却用紙」、「返却先の住所、会社名」等の文字が印刷されている。また２Ｃ面には、「配布」の文字などが印刷され、また配布先の住所、名前が記載されている。第２の基材の２Ａ面、２Ｃ面における住所、名前などの可変情報は、例えば、ノーインパクトプリンターを使用して、印字することが好ましい。第１及び第２の基材は、両端に、マージナルパンチ２５加工が施された連続フォームの形態で製造され、また上記のプリンター印字は、その加工されたマージナルパンチを利用して連続処理される。また第２の基材２２は、折り線８で折り畳み、第２の基材の第２Ａ基材部と第２Ｂ基材部の表面同士が重ね合わされて圧着されて接着可能とするために、基材２２の表面の全面に、再剥離性感圧粘着剤層２４´が設けられている。尚、図示したものは、基材２２の表面の全面に、再剥離性感圧粘着剤層２４´が設けられているが、これに限らず２Ａ及び２Ｂ面のみに再剥離性感圧粘着剤層を設けることも可能である。（２Ｃ面には再剥離性感圧粘着剤層を設けないことも可能である。）
【００３２】
第１の基材２１の折り線６と、第２の基材２２に設けられた折り線８は、同じ位置に合わせ、第１の基材２１の折り線７と、第２の基材２２に設けられた折り線９は、同じ位置に合わせておく。折り線６は、折り線８と重なって、２Ａ面と２Ｂ面とを重ね合わして圧着する際に、２Ａ面と２Ｂ面とを折りやすくし、さらに情報隠蔽用シートを２つに分断する際、分断しやすくしている。図２で示した折り線６と折り線８は、少なくとも１つは、カット線であるようして、その部分でより分断しやすくすることができる。折り線９は、折り線７と重なって、第１の基材と第２の基材とが接着剤Ａ（３０）、接着剤Ｂ（３１）で重ね合った状態で、１Ｂ面と１Ｃ面とを重ね合わして圧着する際に、１Ｂ面と１Ｃ面とを折りやすくしている。
また、第２Ｃ基材部には、予めハーフカット１６加工が施されていて、該ハーフカット１６部分を剥離して、該剥離した部分をラベル１７として使用することにより、第２Ａ基材部の表面に記載した個人情報３２に対し、該ラベルを貼り付けて、隠蔽する。
【００３３】
図２ａ）で示した情報隠蔽用シート１は、配布時に折り線７で、谷折りの条件で折り畳んで、第１の基材２１の第１Ｂ基材部と第１Ｃ基材部の表面同士（１Ｂ面と１Ｃ面）が重ね合わされて圧着されて接着し、個人情報２３を隠蔽するものである。また、配布時における折り線８の方は、図示したように山折りされ、配布される。
【００３４】
図２ｂ）で示したものは、図２ａ）で示した情報隠蔽用シートが、配布された後のシート返却時での使用される状態を説明するもので、配布先の人が、情報隠蔽用シート１を受取って、１Ｂ面と１Ｃ面とが接着した状態から、１Ｂ面と１Ｃ面とを剥離して、１Ｂ面、１Ｃ面に記載された個人情報２３を確認して、さらに２Ａ面と２Ｂ面とが接着した状態から、２Ａ面と２Ｂ面とを剥離して、その後に折り線８（折り線６）の部分から、２Ａ面と２Ｂ面（１Ａ面と１Ｂ面）を切り離し、第２Ｃ基材部には、予めハーフカット１６加工が施されていて、該ハーフカット１６部分を剥離して、該剥離した部分をラベル１７として使用して、第２Ａ基材部の表面に記載した個人情報３２を隠蔽するように、該ラベル１７を貼り付けて、指定した所へ返却する。
【００３５】
図２の場合は、配布時に折り線７の部分で折って貼り合わせて、個人情報２３を隠蔽し、また返却時にハーフカット１６部分を剥離して得られるラベル１７を貼付することにより、個人情報３２を隠蔽するので、情報隠蔽用シートの両面における個人情報を隠蔽でき、隠蔽する情報量が多く、有用なものである。
【００３６】
図３は、本発明の情報隠蔽用シート１の他の実施形態を示す概略図であり、図３ａ）は情報隠蔽用シートを配布する際、返却して使用する前の第１の基材、第２の基材、接着剤Ａ、Ｂや、折り線１０、１１、１２、１３等で構成されることを説明するための概略図であり、図３ｂ）は図３ａ）で示した情報隠蔽用シートが、配布された後のシート返却時での使用される状態を説明するための概略図である。
【００３７】
図３ａ）において、第１の基材２１が第１Ａ基材部（１Ａ）と第１Ｂ基材部（１Ｂ）とが折り線１０により区分けされ、かつ第１の基材２１が第１Ｂ基材部（１Ｂ）と第１Ｃ基材部（１Ｃ）とが折り線１１により区分けされている。第１Ａ基材部の表面を１Ａ面とし、第１Ｂ基材部の表面を１Ｂ面とし、また第１Ｃ基材部の表面を１Ｃ面として、１Ｂ面、１Ｃ面の少なくとも一方には、情報隠蔽用シートの配布される人の個人情報２３が、可変情報として、例えば、ノーインパクトプリンターを使用して、印字されている。また、情報隠蔽用シートが配布された後に、配布された人が、２Ａ面に個人情報３２を記入する。尚、第１及び第２の基材は、両端に、マージナルパンチ２５加工が施された連続フォームの形態で製造され、また上記のプリンター印字は、その加工されたマージナルパンチを利用して連続処理される。また第１の基材２１は、個人情報２３を隠蔽するために、基材２１の表面の全面に、再剥離性感圧粘着剤層２４が設けられている。尚、図示したものは、基材２１の表面の全面に、再剥離性感圧粘着剤層２４が設けられているが、これに限らず１Ｂ及び１Ｃ面のみに再剥離性感圧粘着剤層を設けることも可能である。（１Ａ面には再剥離性感圧粘着剤層を設けないことも可能である。）
【００３８】
また、第２の基材２２が、第２Ａ基材部（２Ａ）と第２Ｂ基材部（２Ｂ）とが折り線１２により区分けされ、かつ第２の基材２２が第２Ｂ基材部（２Ｂ）と第２Ｃ基材部（２Ｃ）とが折り線１３により区分けされて形成されている。第２Ａ基材部の表面を２Ａ面とし、第２Ｂ基材部の表面を２Ｂ面とし、また第２Ｃ基材部の表面を２Ｃ面として、２Ａ面には図示はしていないが、情報隠蔽用シートの返却時での「返却用紙」、「返却先の住所、会社名」等の文字が印刷されている。また２Ｃ面には、「配布」の文字などが印刷され、また配布先の住所、名前が記載されている。第２の基材の２Ａ面、２Ｃ面における住所、名前などの可変情報は、例えば、ノーインパクトプリンターを使用して、印字することが好ましい。第１及び第２の基材は、両端に、マージナルパンチ２５加工が施された連続フォームの形態で製造され、また上記のプリンター印字は、その加工されたマージナルパンチを利用して連続処理される。また第２の基材２２は、折り線１２で折り畳み、第２の基材の第２Ａ基材部と第２Ｂ基材部の表面同士が重ね合わされて圧着されて接着可能とするために、基材２２の表面の全面に、再剥離性感圧粘着剤層２４´が設けられている。尚、図示したものは、基材２２の表面の全面に、再剥離性感圧粘着剤層２４´が設けられているが、これに限らず２Ａ及び２Ｂ面のみに再剥離性感圧粘着剤層を設けることも可能である。（２Ｃ面には再剥離性感圧粘着剤層を設けないことも可能である。）
【００３９】
第１の基材２１の折り線１０と、第２の基材２２に設けられた折り線１２は、同じ位置に合わせ、第１の基材２１の折り線１１と、第２の基材２２に設けられた折り線１３は、同じ位置に合わせておく。折り線１２は、折り線１０と重なって、第１の基材と第２の基材とが接着剤Ａ、接着剤Ｂで重ね合った状態で、２Ａ面と２Ｂ面とを重ね合わして圧着する際に、２Ａ面と２Ｂ面とを折りやすくし、さらに情報隠蔽用シートを２つに分断する際、分断しやすくしている。図３で示した折り線１０と折り線１２は、少なくとも１つは、カット線であるようして、その部分でより分断しやすくすることができる。折り線１３は、折り線１１と重なって、第１の基材と第２の基材とが接着剤Ａ（３０）、接着剤Ｂ（３１）で重ね合った状態で、１Ｂ面と１Ｃ面とを重ね合わして圧着する際に、１Ｂ面と１Ｃ面とを折りやすくしている。
また、第２Ｂ基材部には、ハーフカット１６加工が施されていて、該ハーフカット１６部分を剥離して、該剥離した部分をラベル１７として使用することにより、第２Ａ基材部の表面に記載した個人情報３２に対し、該ラベルを貼り付けて、隠蔽する。
【００４０】
図３ａ）で示した情報隠蔽用シート１は、配布時に折り線１１で、谷折りの条件で折り畳んで、第１の基材２１の第１Ｂ基材部と第１Ｃ基材部の表面同士（１Ｂ面と１Ｃ面）が重ね合わされて圧着されて接着し、個人情報２３を隠蔽するものである。また、配布時における折り線１２の方は、図示したように山折りされ、配布される。
【００４１】
図３ｂ）で示したものは、図３ａ）で示した情報隠蔽用シートが、配布された後のシート返却時での使用される状態を説明するもので、配布先の人が、情報隠蔽用シート１を受取って、１Ｂ面と１Ｃ面とが接着した状態から、１Ｂ面と１Ｃ面とを剥離して、１Ｂ面、１Ｃ面に記載された個人情報２３を確認して、さらに２Ａ面と２Ｂ面とが接着した状態から、２Ａ面と２Ｂ面とを剥離して、その後に折り線１２（折り線１０）の部分から、２Ａ面と２Ｂ面（１Ａ面と１Ｂ面）を切り離し、第２Ｂ基材部に予めハーフカット１６加工が施されていて、該ハーフカット１６部分を剥離して、該剥離した部分をラベル１７として使用して、第２Ａ基材部の表面に記載した個人情報３２を隠蔽するように、該ラベル１７を貼り付けて、指定した所へ返却する。
【００４２】
図３の場合は、配布時に折り線１１の部分で折って貼り合わせて、個人情報２３を隠蔽し、また返却時にハーフカット１６部分を剥離して得られるラベル１７を貼付することにより、個人情報３２を隠蔽するので、情報隠蔽用シートの両面における個人情報を隠蔽でき、隠蔽する情報量が多く、有用なものである。図３の変形例として、第２Ｂ基材部に施すハーフカット加工を中央部の横線のみにして、かつその横線の両側を折り線１２と１３に接する位置まで伸ばして加工する。この場合は、図３の情報隠蔽用シートと比べ、配布時は変わりはないが、返却時には、２Ａ面と２Ｂ面とが接着した状態から、２Ａ面と２Ｂ面とを剥離して、その後に折り線１０の部分から、１Ａ面と１Ｂ面を切り離し、折り線１２の部分で、２Ａ面と２Ｂ面の上半分を切り離し、また上記のハーフカットを利用して、第２Ａ基材部と第２Ｂ基材部の下半分が連接した状態になるようにする。そして、その第２Ｂ基材部の下半分の表面には、擬似接着剤が設けられているので、折り線１２の位置で折るだけで、第２Ａ基材部の表面に記載した個人情報３２を簡単に隠蔽できる。この場合は、擬似接着剤を設けた第２Ｂ基材部の下半分が隠蔽ラベルとして利用されるものである。
【００４３】
図２、３で示した情報隠蔽用シートにおいて、折り部は情報隠蔽用シートを折り畳む際の位置を示し、何ら加工しないものでもよく、また印刷のみ行なったものや、スジ押ししたもの等でもよい。またカット線である場合は、ハーフカット加工、ミシン目加工されたもの等が挙げられる。図２では、折り線６、８の少なくとも１つは、カット線であることが好ましい説明をし、また図３では、折り線１０、１２の少なくとも１つは、カット線であることが好ましい説明をしたが、折り部は折り畳む箇所であり、カット線はその箇所で切断するためのもので、両者は同一位置にあることは限定せず、別の位置でそれぞれを設けることができる。折り線９は、折り線７と重なって、また折り線１３は、折り線１１と重なって、第１の基材と第２の基材とが接着剤Ａ、接着剤Ｂで重ね合った状態で、１Ｂ面と１Ｃ面とを重ね合わして圧着する際に、１Ｂ面と１Ｃ面とを折りやすくするために、スリット加工を施しておくことが好ましい。また同様に、折り線６は、折り線８と重なって、また折り線１０は、折り線１２と重なって、第１の基材と第２の基材とが接着剤Ａ、接着剤Ｂで重ね合った状態で、２Ａ面と２Ｂ面とを重ね合わして圧着する際に、２Ａ面と２Ｂ面とを折りやすくするために、スリット加工を施しておくことが好ましい。すなわち、折り線６、９、１０、１３は、夫々折られる際の山側の位置であり、その部分をスリットしておくと、折り作業の際に支障が生じないからである。
【００４４】
図２、３では、第２の基材の一部である隠蔽ラベル部分は、その隠蔽ラベルの有する基材部全体が、再接着再剥離可能である擬似接着剤層（接着剤Ｂ）を用いたものであるが、それに限らず、ハーフカット部分で囲まれた隠蔽ラベル部分以外は、強接着剤であっても良く、隠蔽ラベル部分において、再接着再剥離可能である擬似接着剤層を用いればよい。
【００４５】
以上、図１〜３を用いて、本発明の情報隠蔽用シートについて、説明したが、全図において、情報隠蔽用シートが配布時にＺ折の三つ折りの形態を示して説明したが、図１〜３において、全て、中三つ折り（内側に巻き込む形の折り）の形態（図６ｂ）参照）の情報隠蔽用シートでも、本発明に適用できる。但し、その際には、個人情報等の記載のレイアウトは、図示したものから変更される。また、第１の基材同士、または第２の基材同士及び第１の基材と第２の基材とが、折り畳まれて接着可能となるように、基材２１の表面に設けた再剥離性感圧粘着剤層２４と、基材２２の表面に設けた再剥離性感圧粘着剤層２４´は、両者が接着し再剥離するような粘着剤が必要な条件である。
【００４６】
また、図１〜３で説明した情報隠蔽用シートは、強接着剤である接着剤Ａと擬似接着剤である接着剤Ｂの２種類の接着剤を用いて、第１の基材と第２の基材を重ね合わして接着させたが、これに限らず擬似接着剤のみで第１の基材と第２の基材を重ね合わして接着することも可能である。また、上記に本発明の情報隠蔽用シートについて、説明したが、図１〜３のように、マージナルパンチ２５の加工された方向と、スリット、折り予定線あるいは区画線の加工された方向が平行であるが、図４に示すように、マージナルパンチ２５の加工された方向と、スリット２と、折り予定線３の加工された方向が直角であるように、情報隠蔽用シートの配置をとることも可能である。
【００４７】
上記の情報隠蔽用シートの説明は、会員変更届、銀行口座変更届等の届出書や、資料申込み、会員申込み等の申込書のような対象者の個人情報２３が記録されたシートが配布され、そのシートを受取った人が、個人情報を記入して、返却する用途で説明したが、郵便往復はがきとして、現状は利用できないが、今後、往復隠蔽はがきとして、使用できる可能性はある。また、上記で、個人情報等を配布時と返却時で隠蔽することを趣旨に、本発明の情報隠蔽用シートについて説明してきたが、それだけではなく、配布時にコンパクトな形態のまま、情報量を多くもつことができる配布物として利用するシートに関しても、本発明に適用できるものである。つまり、配布時は情報を隠蔽するためではなく、情報量を増やして、広告効果を高めることができる。また配布するだけで、返却や返信する条件がない場合でも、本発明は適用できる。
【実施例】
【００４８】
以下に、本発明の情報隠蔽用シートについて、実施例に基づいて、説明する。
第１の基材として、上質紙の片側の全面に、粘着主剤、粘着力調整剤、添加物で構成した再剥離性感圧粘着剤を塗工したものを用意し、また第２の基材として、上質紙の片側の全面に、粘着主剤、粘着力調整剤、添加物で構成した再剥離性感圧粘着剤を塗工したものを用意した。図１を参照して、説明するが、１Ａ面には返却用紙として、返却者が自分の個人情報を記入しやすくするための説明書きを、オフセット印刷方式で、印刷形成する。また、第１の基材には、上記の再剥離性感圧粘着剤が塗工され、第１の基材の両端には、マージナルパンチ２５を連続的に加工し、連続して巻き取った状態とした。また図示はしていないが、第２の基材の２Ｃ面には、その情報隠蔽用シートの配布元である企業の宣伝のための広告を、また２Ａ面には、情報隠蔽用シートの返却時での「返却先の住所、会社名」等の文字が印刷されている。また、第２の基材には、上記の再剥離性感圧粘着剤が塗工され、また第２の基材の両端には、マージナルパンチ２５を連続的に加工し、連続して巻き取った状態とした。
【００４９】
上記の得られた第１の基材の巻取りと、第２の基材の巻取りを給紙部に設置して、擬似接着剤である接着剤Ｂ（３１）を塗工できるユニット１と、強接着剤である接着剤Ａ（３０）を塗工できるユニット２を隣接して設けた糊付けコレーターにて、第１の基材の巻取りの上記の印刷面と反対側に、図１ａ）に示すようなパターンで、擬似接着剤である接着剤Ｂ（３１）を塗工し、続けて第１の基材の巻取りの接着剤Ｂ（３１）が塗工された面と同じ側に、図１ａ）に示すようなパターンで、強接着剤である接着剤Ａ（３０）を塗工し、接着剤Ａ（３０）及び接着剤Ｂ（３１）が塗工された面と、第２の基材の上記の印刷面と反対側とが接するように、重ね合わせる。その時に、第１の基材と第２の基材の各印刷された部分が両者の位置関係が合うように、マージナルパンチを利用したピン送り方式で、第１の基材と第２の基材の見当合わせを行なう。さらに、貼り合わせ時４０と４１に示す位置に、折るための横ミシン目の加工を施した。
【００５０】
次に、上記の情報隠蔽用シートを、両面印字のノーインパクトプリンターにて、第２の基材２２における２Ｃ面に、配布先の住所、名前の可変情報を、また第１の基材２１の１Ｂ面に、個人情報２３の可変情報を、それぞれ一つの情報隠蔽用シートとした時に、両者の情報の照合性がとれた状態で、両面印字を行なった。
【００５１】
その後に、切り取り線１４、１５を利用して、両端に設けられたマージナルパンチ２５加工された部分を、切り離した後に、折り線４で、山折りの条件で折り畳んで、第２の基材２２の第２Ａ基材部と第２Ｂ基材部の表面同士（２Ａ面と２Ｂ面）が重ね合わされて圧着されて接着するように、また折り線３で、谷折りの条件で折り畳んで、第１の基材２１の第１Ｂ基材部と第１Ｃ基材部の表面同士（１Ｂ面と１Ｃ面）が重ね合わされて圧着されて接着するように、シーラーにて圧力を加える。但し、この加圧処理は長尺の情報隠蔽用シートを使用して、連続処理で行なう。圧着の工程中で、横ミシン目４０、４１を利用して、長尺の連続フォームから、多数の枚葉のシート状である情報隠蔽用シートを形成した。
【００５２】
上記の得られた情報隠蔽用シートを対象者に配布したところ、個人情報２３を確実に隠蔽でき、配布途中で異常もなく、配布先に情報隠蔽用シートが届けられた。配布先の人は、１Ｂ面と１Ｃ面とが接着した状態から、１Ｂ面と１Ｃ面とを手で剥離して、１Ｂ面に記載された個人情報２３を確認し、また２Ａ面と２Ｂ面とが接着した状態から、２Ａ面と２Ｂ面とを手で剥離して、その後に折り線２の部分から、第１の基材２１の第１Ｂ基材部を接着剤Ｂから剥離して、第２の基材２２の第２Ｂ基材部と分離し、かつ折り線５の部分から、接着剤Ｂが付着された第２の基材２２の第２Ｂ基材部を、第１の基材２１の第１Ｂ基材部と分離して、第１の基材の第１Ａ基材部と、第２の基材の第２Ａ基材部及び第２Ｂ基材部からなる返却用紙２６を得た。この返却用紙２６の個人情報の記入欄３２に、シートを配布された人は自分の個人情報に関する必要事項を記入した。その後に、第１の基材の第１Ａ基材部の表面に記入した個人情報３２を隠蔽するように、折り線４の部分で折って、第２の基材の第２Ｂ基材部と、第１の基材の第１Ａ基材部とが接着剤Ｂを介して接着した状態にした。そして、その返却用紙を返却先に返却した。この返却用紙は、返却先に異常なく届けられ、返却先の関係者が第２Ｂ基材部と、第１Ａ基材部とを接着剤Ｂから剥離して、個人情報の記入欄３２の内容を確認し、必要事項を記憶装置へ入力する等の処置を行った。以上の情報隠蔽用シートは、プリンターの印字適性、搬送適性等に優れ、また製造する上で、製造工程が増えることもなく、隠蔽ラベルを用いて、剥がして貼り込む際、ラベルの貼る位置が曲がったり、外れることがなく、折り線４の部分で折って貼り合わせるだけで、簡単に個人情報を隠蔽することができ、かつ配布時に個人情報を隠蔽するもので、隠蔽できる箇所が片面でなく、両面の隠蔽する箇所を有した隠蔽する情報量が多く、有用なものであった。この情報隠蔽用シートは、配布元（返却先）と配布先（返却者）において、取扱い上、問題がなく使用された。
【図面の簡単な説明】
【００５３】
【図１】本発明の情報隠蔽用シートの一つの実施形態を示す概略図である。
【図２】本発明の情報隠蔽用シートの他の実施形態を示す概略図である。
【図３】本発明の情報隠蔽用シートの他の実施形態を示す概略図である。
【図４】本発明の情報隠蔽用シートの他の実施形態を示す概略図である。
【図５】特許文献２で提案された往復隠蔽はがきの形態を示す概略図である。
【図６】本発明の情報隠蔽用シートの実施形態を説明する概略図である。
【符号の説明】
【００５４】
１      情報隠蔽用シート
２〜１３      折り線
１４      切り取り線
１５      切り取り線
１６      ハーフカット
１７      ラベル
２１      第１の基材
２２      第２の基材
２３      配布される人の個人情報
２４、２４´      再剥離性感圧粘着剤層
２５      マージナルパンチ
２６      返却用紙
３０      接着剤Ａ（強接着剤）
３１      接着剤Ｂ（擬似接着剤）
３２      返却用紙の個人情報の記入欄（第１Ａ基材部の表面に記入した個人情報）
４０、４１      横ミシン目
５０      往復隠蔽はがき
【図１】
2008137164.tif 000003
【図２】
2008137164.tif 000004
【図３】
2008137164.tif 000005
【図４】
2008137164.tif 000006
【図５】
2008137164.tif 000007
【図６】
2008137164.tif 000008